(57)【要約】【課題】別部品を追加することなく、安価に特異性のある表示を持つ操作表示装置を提供すること。【解決手段】ＬＥＤ等からなる表示素子３８と、その表示素子３８の光を拡散させる表示窓３４とを有し、表示窓３４に対応する位置のパネルカバー内壁に波形状の凹凸形状を設ける。これによって、拡散性の異なる別部材や液晶パネルなど別部品を追加することなく、表示に特異性をもたせることができる。【選択図】図５
2011056042.tif 000002
【特許請求の範囲】
【請求項１】
少なくとも一部が透明または光透過性を有する部材で構成され複数の表示部を有するパネルカバーと、このパネルカバーの表面にインサート成型され少なくとも一部が透明または光透過性を有するパネルシートと、複数の表示部に対応した表示窓と複数の操作ボタン部を有する操作表示パネルと、この操作表示パネル部の内側に配設され前記操作ボタン部に対応する位置に配されたスイッチおよび前記表示部に対応する位置に配された複数個の表示素子を有する制御装置とを備え、所定の表示部に対応した位置のパネルカバー内壁に波形状の凹凸部を設けた洗濯乾燥機の操作表示装置。
【請求項２】
節水時または消費電力が所定の電力よりも低い省エネ運転モード時に表示させる省エネ運転表示部のパネルカバー内壁に波形状の凹凸部を設けた請求項１記載の洗濯乾燥機の操作表示装置。
【発明の詳細な説明】
【技術分野】
【０００１】
本発明は、操作ボタン部の操作に対応して表示素子により表示する洗濯乾燥機の操作表示装置に関するものである。
【背景技術】
【０００２】
従来、この種のドラム式洗濯乾燥機等に使用される従来の操作表示装置は、図６〜８に示すような構成していた。以下、その構成について説明する。
【０００３】
図６は従来の操作表示装置を備えたドラム式洗濯乾燥機の要部斜視図、図７は同操作表示装置の正面図、図８は同操作表示装置の要部断面図である。
【０００４】
図６に示すように、操作表示パネル１はドラム式洗濯乾燥機の洗濯槽（図示せず）を開閉自在に覆う蓋２の上方に取り付けており、この操作表示パネル１の表面にシート材で構成されたパネルシート３をインサート成型している。このパネルシート３に、操作部４、５、６、７、コース表示部８などを設けている。操作部４は洗濯動作または乾燥動作を開始するとき操作するものであり、操作部５は、所定の運転コースを選択するとき操作するものである。
【０００５】
コース表示部８は、操作部５により所定の運転コースを選択すると点灯する。電源入りスイッチ９ａは、ドラム式洗濯乾燥機本体に電源を投入するものであり、電源切りスイッチ９ｂは、ドラム式洗濯乾燥機本体の電源を遮断するものである。
【０００６】
つぎに、図７および図８に示すように、操作表示パネル１の操作表示部１０の内側にドラム式洗濯乾燥機の運転を制御する制御装置１１を装着し、この制御装置１１に複数のスイッチ１２を設けている。このスイッチ１２は、操作表示部１０の操作ボタン部１３に対応した位置に設けられ、この操作ボタン部１３に設けた押圧部１４を押圧することでスイッチをオン、オフできるように構成されている。ここで、操作ボタン部１３は、弾性を有するように形成したボタン支持部１５により操作表示部１０に上下動自在に支持されている。
【０００７】
操作表示パネル１の表面には、弾性を有するパネルシート３がインサート成型されており、パネルシート３に設けた操作部４、５より、操作ボタン部１３を介してスイッチ１２を押圧できるようにしている。
【０００８】
また、パネルシート３のコース表示部８の表示は、制御装置１１にセットした表示ケース１６に設けたＬＥＤ（発光ダイオード）等からなる表示素子１７の点灯や点滅等で、裏面からパネルシート３の表面に印刷してあるコースの表示を照射することにて構成される。
【０００９】
上記表示ケース１６は、操作表示パネル１に形成した開口部である表示窓に下方より挿入してセットする。
【００１０】
図８に示すように、制御装置１１内に構成されたプリント基板１８ａ上に載置された表示ケース１６に、複数個のＬＥＤ等からなる表示素子１７を設け、表示ケース１６の上端１６ａはパネルシート３の裏面（制御装置１１側）に出来るだけ近接するように配置して、隣り合う表示素子１７の光が洩れないようにして視認性を高めるようにしている。
【００１１】
上記構成において、その動作を説明すると、電源入りスイッチ９ａをオンし、さらに操作部５をオンする。このとき、操作ボタン部１３に設けた押圧部１４によりスイッチ１２を押圧してオンし、所定の運転コースを選択する。このとき、コース表示部８と順次コース内容が変わり、使用者が希望のコースを選択する（例えば、特許文献１参照）。
【先行技術文献】
【特許文献】
【００１２】
【特許文献１】特開２００４−０７３７０６号公報
【発明の概要】
【発明が解決しようとする課題】
【００１３】
しかしながら、このような従来の操作表示装置の構成では、表示に特異性を持たせるためにはＬＥＤ等の表示素子の色を変えたり、パネルシートの印刷によって光の透過性を変えるという方法を用いることとなるが、この方法では一般的な表示との差別化が小さく、結果として、特異性のある表示を行うことが困難という課題があった。
【００１４】
また、一般的な表示との差別化を大きくする必要がある場合には、拡散性の異なる別部材や液晶パネルなど別部品を追加する必要があり、他の構成部品との取付や配置などの制約を受けるため、結果として、特異性のある表示ができる位置の制約が大きくなるという課題があった。
【００１５】
本発明は、前記従来の課題を解決するもので、拡散性の異なる別部材を追加することなく、安価な構成で表示に特異性を持たせることができ、また、位置等の制約を受けることなく使用者に強調したい表示について特異性を持たせることができる。
【課題を解決するための手段】
【００１６】
前記従来の課題を解決するために、本発明のドラム式洗濯乾燥機の操作表示装置は、少なくとも一部が透明または光透過性を有する部材で構成され複数の表示部を有するパネルカバーと、このパネルカバーの表面にインサート成型され少なくとも一部が透明または光透過性を有するパネルシートと、複数の表示部に対応した表示窓と複数の操作ボタン部を有する操作表示パネルと、この操作表示パネル部の内側に配設され前記操作ボタン部に対応する位置に配されたスイッチおよび前記表示部に対応する位置に配された複数個の表示素子を有する制御装置とを備え、所定の表示部に対応した位置のパネルカバー内壁に波形状の凹凸部を設けたものである。
【００１７】
これによって、本発明の洗濯乾燥機の操作表示装置は、光が拡散した状態で明るさの濃淡を不均一にすることができるため、従来のように拡散性の異なる別部材や液晶パネルなどの別部品を追加することなく表示に特異性をもたせることができ、他の一般的な表示との差別化を大きくすることができるため、使用者に対して強調したい表示に対して安価に特異性をもたせることが可能となる。
【発明の効果】
【００１８】
本発明のドラム式洗濯乾燥機の操作表示装置は、拡散性の異なる別部材や液晶パネルなどの別部品を追加する必要がないので、安価な構成で表示に特異性をもたせることができる。
【図面の簡単な説明】
【００１９】
【図１】本発明の実施の形態１における操作表示装置を搭載したドラム式洗濯乾燥機の要部斜視図
【図２】同操作表示装置の正面図
【図３】（ａ）同操作表示装置が分解された状態でのパネルカバーの正面図（ｂ）同操作表示装置が分解された状態での操作表示パネルの正面図（ｃ）同操作表示装置が分解された状態での制御装置ケースの正面図
【図４】同操作表示装置のＡ−Ａ断面図
【図５】同操作表示装置のＢ−Ｂ断面図
【図６】従来の操作表示装置を備えたドラム式洗濯乾燥機の要部斜視図
【図７】同操作表示装置の正面図
【図８】同操作表示装置の要部断面図
【発明を実施するための形態】
【００２０】
第１の発明は、少なくとも一部が透明または光透過性を有する部材で構成され複数の表示部を有するパネルカバーと、このパネルカバーの表面にインサート成型され少なくとも一部が透明または光透過性を有するパネルシートと、複数の表示部に対応した表示窓と複数の操作ボタン部を有する操作表示パネルと、この操作表示パネル部の内側に配設され前記操作ボタン部に対応する位置に配されたスイッチおよび前記表示部に対応する位置に配された複数個の表示素子を有する制御装置とを備え、所定の表示部に対応した位置のパネルカバー内壁に波形状の凹凸部を設けた構成にすることにより、光が拡散した状態で、明るさの濃淡を不均一にすることができるため、拡散性の異なる別部材や液晶パネルなどの別部品を追加することなく、安価に表示に特異性を持たせることができる。
【００２１】
第２の発明は、第１の発明において、節水時または消費電力が所定の電力よりも低い省エネ運転モード時に表示させる省エネ運転表示部のパネルカバー内壁に波形状の凹凸部を設けたことにより、省エネ運転モード時に、省エネ運転表示部の表示素子の光を他の表示素子の光に比して差別化あるいは強調することができる。
【００２２】
以下、本発明の実施の形態について、図面を参照しながら説明する。なお、この実施の形態によって本発明が限定されるわけではない。
【００２３】
（実施の形態１）
図１は、本発明の第１の実施の形態における操作表示装置を搭載したドラム式洗濯乾燥機の要部斜視図、図２は同操作表示装置の正面図、図３（ａ）は同操作表示装置が分解された状態でのパネルカバーの正面図、図３（ｂ）は同操作表示装置が分解された状態での操作表示パネルの正面図、図３（ｃ）は同操作表示装置が分解された状態での制御装置ケースの正面図、図４は同操作表示装置の図２におけるＡ−Ａ断面図、図５は同操作表示装置の図２におけるＢ−Ｂ断面図である。
【００２４】
図１において、操作表示装置５０は、ドラム式洗濯乾燥機の洗濯槽（図示せず）を開閉自在に覆う蓋の上方に取り付けられている。
【００２５】
図２において、ドラム式洗濯乾燥機の操作表示装置５０の操作表示面全体を構成するパネルカバー２０は、その全部あるいは一部が光を透過するプラスチック成形部材にて構成されている。
【００２６】
パネルカバー２０には、ドラム式洗濯乾燥機本体（図示せず）に電源を投入する際に操作する電源入りボタン２１、電源を遮断する際に操作する電源切りボタン２２、洗濯・乾燥等の動作をスタートあるいは一時停止する際に操作するスタート・一時停止ボタン２３、洗濯の時間を設定する際に操作する洗濯時間設定ボタン２４ａ、すすぎの回数を設定する際に操作するすすぎ設定ボタン２４ｂ、脱水の時間を設定する際に操作する脱水時間設定ボタン２４ｃ、乾燥の時間を設定する際に操作する乾燥時間設定ボタン２４ｄ、予約運転をする際に操作する予約運転設定ボタン２４ｅ、洗濯・乾燥など決められた運転モード
を切り換える際に操作する洗・乾切換ボタン２５ａ、決められた複数の洗濯あるいは乾燥コースから１つのコースを選択する際に操作するコース設定ボタン２５ｂ、洗濯およびすすぎ時の洗濯水およびすすぎ水の水位を設定する際に操作する水位設定ボタン２５ｃ、洗濯およびすすぎ時の洗濯水およびすすぎ水に風呂水を使用する際に操作する風呂水設定ボタン２５ｄ等を有する操作部を配置している。
【００２７】
また、パネルカバー２０には、これらの操作部の操作にて設定される洗濯時間を表示する洗濯時間表示部２６ａ、すすぎの回数を表示するすすぎ表示部２６ｂ、脱水時間を表示する脱水時間表示部２６ｃ、乾燥時間を表示する乾燥時間表示部２６ｄ、洗濯・乾燥の残時間あるいは予約運転の終了時間を表示する時間表示部２６ｅ、ＬＥＤ（発光ダイオード）等にて構成され洗・乾切換ボタン２５ａにて洗濯された運転モードを表示する運転モード表示部２７ａ、コース設定ボタン２５ｂにて選択された洗濯・乾燥コースを表示するコース設定表示部２７ｂ、水位設定ボタン２４ｃにて設定された洗濯水およびすすぎ水の水位を表示する水位表示部２７ｃ、風呂水設定ボタン２５ｄにて風呂水の使用が設定されると設定内容を表示する風呂水設定表示部２７ｄ、予約運転設定スイッチ２４ｅにて予約が設定されると予約の設定を表示する予約運転設定表示部２７ｅ、省電力運転状態の際に表示する省エネ運転表示部２７ｆ等を有するＬＥＤ表示部を配置している。
【００２８】
パネルカバー２０の表面には、ＬＥＤで表示された運転モード表示部２７ａ、コース設定表示部２７ｂ、水位表示部２７ｃ、風呂水設定表示部２７ｄ、予約運転設定表示部２７ｅおよび省エネ運転表示部２７ｆ等の表示を透過視認できるように、透明あるいは光透過性の高い色のポリエステル樹脂シート等で作成されたパネルシート３０を配する。
【００２９】
したがって、特に、パネルカバー２０裏面側でＬＥＤが配置されている箇所については、パネルカバー２０およびパネルシート３０それぞれについて、外部から透過視認できるように、透明あるいは光透過性の高い部材で構成すればよい。
【００３０】
図３において、パネルカバー２０は、表面に電源入りボタン２１、電源切りボタン２２、スタート・一時停止ボタン２３、洗濯時間設定ボタン２４ａ、すすぎ設定ボタン２４ｂ、脱水時間設定ボタン２４ｃ、乾燥時間設定ボタン２４ｄ、予約運転設定ボタン２４ｅ、洗・乾切換ボタン２５ａ、コース設定スイッチ２５ｂ、水位設定ボタン２５ｃおよび風呂水設定ボタン２５ｄ等の表示を印刷したフィルムをインサート成型したプラスチック成形部材で構成している。
【００３１】
また、パネルカバー２０の裏面内方には、ポリプロピレン樹脂やＡＢＳ樹脂により形成した操作表示パネル３１を配している。この操作表示パネル３１には、運転モード表示部２７ａ、コース設定表示部２７ｂ、水位表示部２７ｃ、風呂水設定表示部２７ｄ、予約運転設定表示部２７ｅおよび省エネ運転表示部２７ｆ等のＬＥＤ表示に対応して開口した複数個の表示窓３４や、電源入りボタン２１、電源切りボタン２２、スタート・一時停止ボタン２３、洗濯時間設定ボタン２４ａ、すすぎ設定ボタン２４ｂ、脱水時間設定ボタン２４ｃ、乾燥時間設定ボタン２４ｄ、予約運転設定ボタン２４ｅ、洗・乾切換ボタン２５ａ、コース設定ボタン２５ｂ、水位設定ボタン２５ｃおよび風呂水設定ボタン２５ｄ等に対応した複数個の操作ボタン部３５を一体形成している。
【００３２】
なお、操作ボタン部３５は、その外周部が周縁から分離するようにスリット部３５ａを形成して、かつ、その一部を薄肉部３５ｂにて周縁と接続したことにより、操作ボタン部３５が押圧されると、この薄肉部３５ｂの可撓性と弾性により、薄肉部３５ｂを支点としてたわみ、操作ボタン部３５を可動させることにより、それぞれの操作ボタン部３５に対応する位置であって操作表示パネル３１の裏側に設けたスイッチ３６を押圧して信号を入力できる。
【００３３】
制御装置ケース３７は、操作表示パネル３１の裏面内方に設けられ、制御装置ケース３７内には、ＬＥＤ等からなる表示素子３８、スイッチ３６、半導体（図示せず）、マイコン（図示せず）等を積載装着したプリント基板４０等にてなる制御装置４１を配するとともに、操作表示パネル３１に裏面よりねじ止め等で固定される。
【００３４】
スイッチ３６は、操作ボタン部３５が押圧操作されることに対応して動作し、ＬＥＤ等からなる表示素子３８は、洗濯時間表示部２６ａ、すすぎ表示部２６ｂ、脱水時間表示部２６ｃ、乾燥時間表示部２６ｄ、運転モード表示部２７ａ、コース設定表示部２７ｂ、水位表示部２７ｃ、風呂水表示部２７ｄ、予約運転設定表示部２７ｅおよび省エネ運転表示部２７ｆ等に対応した表示を行うための素子である。
【００３５】
図４に示すとおり、ドラム式洗濯乾燥機の正面上方にパネルカバー２０を配し、パネルカバー２０の正面側の断面は緩やかな凸形状に形成するとともに、パネルカバー２０は、表面にパネルシート３０をインサート成型したプラスチック成形部材にて構成する。
【００３６】
このような凸形状部のパネルカバー２０に透明窓４３を一体形成する。この透明窓４３の構成方法は、例えば、パネルカバー２０を透明プラスチック成形材で、パネルシート３０を透明シートで構成し、このパネルシート３０の透明部分２７以外を塗装加工やプリント印刷により被覆して不透明としても良い。
【００３７】
パネルカバー２０の裏面内方には、操作表示パネル３１を配し、かつこの操作表示パネル３１の裏面側に制御装置４１を内設した制御装置ケース３７を配し、制御装置ケース３７は、ねじ止め等により操作表示パネル３１裏面に固定する。
【００３８】
制御装置４１には、ＬＥＤ等からなる表示素子３８、スイッチ３６、マイコン（図示せず）等を装着するとともに、制御装置ケース３７内部にポリウレタン樹脂等で構成された防湿材からなる防湿ポッティング剤を充填させて、制御装置４１の表裏に防湿処理を施す。
【００３９】
操作表示パネル３１に可動可能に一体形成された操作ボタン部３５は、パネルカバー２０の透明窓４３下方前方近傍に形成したスリット部より、パネルカバー２０の上面に穿設せしめ、インサート成型されたパネルシート３０に凸状に形成した凸状操作部３０ａを押圧することより制御装置４１に装着したスイッチ３６に信号が入力される。
【００４０】
凸状操作部３０ａの表面もしくは表面近傍には、図２または図３にて示した電源入りボタン２１、電源切りボタン２２、スタート・一時停止ボタン２３、洗濯時間設定ボタン２４ａ、すすぎ設定ボタン２４ｂ、脱水時間設定ボタン２４ｃ、乾燥時間設定ボタン２４ｄ、予約運転設定ボタン２４ｅ、洗・乾切換ボタン２５ａ、コース設定ボタン２５ｂ、水位設定スイッチ２５ｃおよび風呂水設定ボタン２５ｄ等の操作部の印刷表示を施す。
【００４１】
制御装置４１には、複数のＬＥＤや７セグメント等からなる表示素子３８を設け、操作表示パネル３１の筒状部３２には、複数のＬＥＤ等からなる表示素子３８にそれぞれ対応した複数の表示窓３４を設けている。この表示窓３４は、操作表示パネル３１と一体に成形し、ＬＥＤ等からなる表示素子３８側から操作表示パネル３１の表面側に向けて開口面積が漸次拡大するように構成されると光が拡がって表示されるのでよい。また、表示窓３４、即ち操作表示パネル３１の材質は、非透光材料にて形成され、相互に露光しない構成としている。
【００４２】
点灯したＬＥＤ等からなる表示素子３８の光は、表示窓３４、パネルカバー２０の透明
窓４３を介してパネルシート３０に印刷された表示を照明することで、パネルシート３０の外側から見えるように構成されている。
【００４３】
図５のＢ−Ｂ断面図において、省エネ運転表示部２７ｆの表示窓３４に対応した位置にあるパネルカバー２０の裏面側の一部は、複数の略かまぼこ形状を並べた凹凸形状（波型形状）にて構成している。
【００４４】
以上のように構成された操作表示装置について、以下その動作、作用、および効果を説明する。
【００４５】
図１から図４において、電源入りボタン２１を押圧し、コース設定ボタン２５ｂを押圧すると、操作ボタン部３５が薄肉部３５ｂを支点としてたわみ、スイッチ３６をオンすることができ、所定の運転コースを選択することができる。次に、スタート・一時停止ボタン２３を押圧すると、同様に操作ボタン部３５が薄肉部３５ｂを支点としてたわみ、制御装置４１に配したスイッチ３６をオンすることができ、それによって洗濯乾燥機の運転を開始する。
【００４６】
このとき、操作表示パネル３１の裏面内方に配した制御装置４１には、複数のＬＥＤ等からなる表示素子３８を設けており、操作表示パネル３１には複数のＬＥＤ等からなる表示素子３８にそれぞれ対応した複数の表示窓３４を設けることにより、制御装置４１にＬＥＤ等からなる表示素子３８の光を拡散し、均一な光としてパネルカバー２０を介して表示することができる。
【００４７】
ここで図５における凹凸形状を介して、表示素子３８の光を透過させると、表示窓３４内部に光が拡散した状態で、明るさの濃淡を不均一にすることができるため、省エネ運転表示部２７ｆなどのように特に使用者に対して他の表示素子の光とは差別化したいあるいは強調したい表示部分に対して、視認性が良くかつ安価に他の表示との差別化をはかることができる。
【００４８】
また、この凹凸形状の高さ、間隔および断面形状を変化させることによって、表示態様を変化させることができるため、表示の多様化を行うこともできる。
【００４９】
また、この凹凸形状を形成すれば、表示の差別化をはかることができるため、表示位置の制約を受けずに表示の差別化を行うことができる。
【００５０】
上記実施の形態１は、ドラム式洗濯乾燥機について記載したが、必ずしも限定されるものではなく、ＬＥＤ等の表示素子を用いた操作表示部を有する縦型洗濯機等であれば、同等の構成とすることにより、同等の効果を得ることができることは言うまでもない。
【産業上の利用可能性】
【００５１】
本発明の操作表示装置は、従来のように拡散性の異なる別部材や液晶パネルなどの別部品を追加することなく、安価に表示に特異性をもたせることができるため、ＬＥＤ等の表示素子を用いた操作表示部を有する各種機器に適用できる。
【符号の説明】
【００５２】
２０  パネルカバー
３０  パネルシート
３１  操作表示パネル
３４  表示窓
３５  操作ボタン部
３７  制御装置ケース
３８  表示素子
４１  制御装置
４３  透明窓
【図１】
2011056042.tif 000003
【図２】
2011056042.tif 000004
【図３】
2011056042.tif 000005
【図４】
2011056042.tif 000006
【図５】
2011056042.tif 000007
【図６】
2011056042.tif 000008
【図７】
2011056042.tif 000009
【図８】
2011056042.tif 000010